【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
地上局アンテナであって、
トーラス形状の反射器と、ここで、前記反射器は、前記反射器の前の焦点孤を有する、
前記トーラス反射器に対して垂直な軸を中心に回転する回転フィードプラットフォームと、
複数のトランシーバフィードと、ここで、前記複数のトランシーバフィードは、それらの電気的な位相中心が前記焦点孤上に位置しており、前記トランシーバフィードは、前記回転フィードプラットフォームに取り付けられおり、前記複数のトランシーバフィードは、前記プラットフォームが回転するときに、上昇するおよび下降する衛星を同時に追跡するように構成される、
前記トランシーバフィードに動力供給するために前記複数のトランシーバフィードに結合されたワイヤレス電力受信機と、
後続処理を行うために、ベースユニットと信号を通信するように構成される前記複数のトランシーバフィードに結合されたワイヤレス信号インターフェースと
を備える地上局アンテナ。
【請求項２】
前記ベースユニットと通信する前に、受信信号を低周波数信号に変換するための前記複数のトランシーバフィードに結合された変換器をさらに備える、請求項１に記載の地上局アンテナ。
【請求項３】
前記低周波数信号は、中間周波数信号である、請求項２に記載の地上局アンテナ。
【請求項４】
前記低周波数信号は、ベースバンド信号である、請求項２に記載の地上局アンテナ。
【請求項５】
前記複数のトランシーバフィードは、略８０度にわたって、上昇するおよび下降する衛星を同時に追跡する、請求項１に記載の地上局アンテナ。
【請求項６】
前記ワイヤレス信号インターフェースは、ワイヤレスローカルエリアネットワーク（ＷＬＡＮ）、パーソナルエリアネットワーク（ＰＡＮ）、ローカルエリアネットワーク、および／または広域ネットワークデバイスを使用して通信するように構成される、請求項１に記載の地上局アンテナ。
【請求項７】
前記ワイヤレス電力受信機は、充電ループを有する固定のプレートを介して前記複数のトランシーバフィードに結合される、請求項１に記載の地上局アンテナ。
【請求項８】
地上局アンテナであって、
焦点孤に沿った複数のフィードポイント上に信号を反射する手段と、
上昇するおよび下降する衛星を同時に追跡する手段と、
前記追跡する手段を前記焦点孤に沿って回転させる手段と、ここで、前記回転させる手段は、前記追跡する手段に結合され、前記回転させる手段は、前記反射する手段に対して垂直な軸を中心に回転する、
前記追跡する手段にワイヤレスに動力供給する手段と、
後続処理を行うために、前記追跡する手段からの信号をベースユニットにワイヤレスに通信する手段と
を備える地上局アンテナ。
【請求項９】
前記ベースユニットと通信する前に、受信信号を低周波数信号に変換する手段をさらに備える、請求項８に記載の地上局アンテナ。
【請求項１０】
トーラス形状の反射器を有する地上局アンテナを使用したワイヤレス通信の方法であって、ここで、前記反射器は、前記反射器の前の焦点孤を有し、前記方法は、
前記トーラス反射器に対して垂直な軸を中心にフィードプラットフォームを回転させることと、
前記回転フィードプラットフォームを使用して前記焦点孤に沿って複数のトランシーバフィードを回転させることによって、上昇するおよび下降する衛星を同時に追跡することと、ここで、前記トランシーバフィードは、前記回転フィードプラットフォームに取り付けられおり、前記複数のトランシーバフィードは、それらの電気的位相中心が前記焦点孤上に位置している、
前記複数のトランシーバフィードにワイヤレスに動力供給することと、
後続処理を行うために、前記複数のトランシーバフィードとベースユニットとの間で信号をワイヤレスに通信することと
を備える方法。
【請求項１１】
前記ベースユニットと通信する前に、前記複数のトランシーバフィードにおいて受信された信号を、低周波数信号に変換することをさらに備える、請求項１０に記載の方法。
【請求項１２】
前記低周波数信号は、中間周波数信号またはベースバンド信号である、請求項１１に記載の方法。
【請求項１３】
前記上昇するおよび下降する衛星を追跡することは、略８０度をカバーする、請求項１０に記載の方法。
【請求項１４】
ワイヤレス通信信号通信は、ワイヤレスローカルエリアネットワーク（ＷＬＡＮ）、パーソナルエリアネットワーク（ＰＡＮ）、ローカルエリアネットワーク、および／または広域ネットワークプロトコルを使用して行われる、請求項１０に記載の方法。
【請求項１５】
トーラス形状の反射器を有する地上局アンテナを使用してワイヤレス通信を提供するコンピュータプログラム製品であって、ここで、前記反射器は、前記反射器の前の焦点孤を有し、前記コンピュータプログラム製品は、プログラムコードを記録している非一時的コンピュータ可読媒体を備え、ここにおいて、前記プログラムコードは、プロセッサによって実行されるとき、前記プロセッサに、請求項１０から１４のいずれかの方法のステップを実行させる、コンピュータプログラム製品。
【手続補正２】
【補正対象書類名】明細書
【補正対象項目名】００５０
【補正方法】変更
【補正の内容】
【００５０】
[0053]  本開示およびそれの利点が詳細に説明されてきたが、添付の特許請求の範囲によって定義される本開示の技術から逸脱することなく、様々な変更、置換、および代替が、本明細書で行われ得ることが理解されるべきである。例えば、「上（above）」および「下（below）」といった相関用語が、基板または電子デバイスに対して使用される。当然ながら、基板または電子デバイスが反転している場合、上が下になり、逆もまた同様である。追加的に、横向きに傾けられている場合、上および下は、基板または電子デバイスの両端を指し得る。さらに、本願の範囲は、本明細書で説明されたプロセス、機械、製造物、組成物（composition of matter）、手段、方法、およびステップの特定の構成に限定されるようには意図されない。当業者が本開示から容易に理解するであろうように、本明細書で説明された対応する構成と実質的に同じ結果を達成するかあるいは実質的に同じ機能を行う、既存のまたは後に開発されるプロセス、機械、製造物、組成物、手段、方法、またはステップが本開示にしたがって利用され得る。したがって、添付の特許請求の範囲は、このようなプロセス、機械、製造物、組成物、手段、方法、またはステップを、その範囲内に含むように意図される。
以下に本願の出願当初の特許請求の範囲に記載された発明を付記する。
［Ｃ１］
地上局アンテナであって、
トーラス形状の反射器と、ここで、前記反射器は、前記反射器の前の焦点孤に沿って複数のフィードポイントを有する、
複数のトランシーバフィードと、ここで、前記複数のトランシーバフィードは、それらの電気的な位相中心が前記焦点孤上に位置しており、回転フィードプラットフォームによって支持されており、前記複数のトランシーバフィードは、前記プラットフォームが回転するときに、上昇するおよび下降する衛星を同時に追跡するように構成される、
前記トランシーバフィードに動力供給するために前記複数のトランシーバフィードに結合されたワイヤレス電力受信機と、
後続処理を行うために、ベースユニットと信号を通信するための、前記複数のトランシーバフィードに結合されたワイヤレス信号インターフェースと
を備える地上局アンテナ。
［Ｃ２］
前記ベースユニットと通信する前に、受信信号を低周波数信号に変換するための前記複数のトランシーバフィードに結合された変換器をさらに備える、Ｃ１に記載の地上局アンテナ。
［Ｃ３］
前記低周波数信号は、中間周波数信号である、Ｃ２に記載の地上局アンテナ。
［Ｃ４］
前記低周波数信号は、ベースバンド信号である、Ｃ２に記載の地上局アンテナ。
［Ｃ５］
前記複数のトランシーバフィードは、略８０度にわたって、上昇するおよび下降する衛星を同時に追跡する、Ｃ１に記載の地上局アンテナ。
［Ｃ６］
前記ワイヤレス信号インターフェースは、ワイヤレスローカルエリアネットワーク（ＷＬＡＮ）、パーソナルエリアネットワーク（ＰＡＮ）、ローカルエリアネットワーク、および／または広域ネットワークデバイスを使用して通信する、Ｃ１に記載の地上局アンテナ。
［Ｃ７］
前記ワイヤレス電力受信機は、充電ループを有する固定のプレートを介して前記複数のトランシーバフィードに結合される、Ｃ１に記載の地上局アンテナ。
［Ｃ８］
地上局アンテナであって、
焦点孤に沿った複数のフィードポイント上に信号を反射する手段と、
上昇するおよび下降する衛星を同時に追跡する手段と、
前記追跡する手段を前記焦点孤に沿って回転させる手段と、ここで、前記回転させる手段は、前記追跡する手段に結合される、
前記追跡する手段にワイヤレスに動力供給する手段と、
後続処理を行うために、前記追跡する手段からの信号をベースユニットにワイヤレスに通信する手段と
を備える地上局アンテナ。
［Ｃ９］
前記ベースユニットと通信する前に、受信信号を低周波数信号に変換する手段をさらに備える、Ｃ８に記載の地上局アンテナ。
［Ｃ１０］
前記低周波数信号は、中間周波数信号である、Ｃ９に記載の地上局アンテナ。
［Ｃ１１］
前記低周波数信号は、ベースバンド信号である、Ｃ９に記載の地上局アンテナ。
［Ｃ１２］
前記追跡する手段が、略８０度をカバーする、Ｃ８に記載の地上局アンテナ。
［Ｃ１３］
前記通信する手段は、ワイヤレスローカルエリアネットワーク（ＷＬＡＮ）、パーソナルエリアネットワーク（ＰＡＮ）、ローカルエリアネットワーク、および／または広域ネットワークデバイスを備える、Ｃ８に記載の地上局アンテナ。
［Ｃ１４］
トーラス形状の反射器を有する地上局アンテナを使用したワイヤレス通信の方法であって、ここで、前記反射器は、前記反射器の前の焦点孤に沿って複数のフィードポイントを有し、前記方法は、
前記焦点孤に沿って複数のトランシーバフィードを回転させることによって、上昇するおよび下降する衛星を同時に追跡することと、ここで、前記複数のトランシーバフィードは、それらの電気的位相中心が前記焦点孤上に位置している、
前記複数のトランシーバフィードにワイヤレスに動力供給することと、
後続処理を行うために、前記複数のトランシーバフィードとベースユニットとの間で信号をワイヤレスに通信することと
を備える方法。
［Ｃ１５］
前記ベースユニットと通信する前に、前記複数のトランシーバフィードにおいて受信された信号を、低周波数信号に変換することをさらに備える、Ｃ１４に記載の方法。
［Ｃ１６］
前記低周波数信号は、中間周波数信号またはベースバンド信号である、Ｃ１５に記載の方法。
［Ｃ１７］
前記上昇するおよび下降する衛星を追跡することは、略８０度をカバーする、Ｃ１４に記載の方法。
［Ｃ１８］
ワイヤレス通信信号通信は、ワイヤレスローカルエリアネットワーク（ＷＬＡＮ）、パーソナルエリアネットワーク（ＰＡＮ）、ローカルエリアネットワーク、および／または広域ネットワークプロトコルを使用して行われる、Ｃ１４に記載の方法。
［Ｃ１９］
トーラス形状の反射器を有する地上局アンテナを使用してワイヤレス通信を提供するコンピュータプログラム製品であって、ここで、前記反射器は、前記反射器の前の焦点孤に沿って複数のフィードポイントを有し、前記コンピュータプログラム製品は、
プログラムコードを記録している非一時的コンピュータ可読媒体
を備え、前記プログラムコードは、
前記焦点孤に沿って複数のトランシーバフィードを回転させることによって、上昇するおよび下降する衛星を同時に追跡するプログラムコードと、ここで、前記複数のトランシーバフィードは、それらの電気的位相中心が前記焦点孤上に位置している、
前記複数のトランシーバフィードにワイヤレスに動力供給するプログラムコードと、
後続処理を行うために、前記複数のトランシーバフィードとベースユニットとの間で信号をワイヤレスに通信するプログラムコードと
を備える、コンピュータプログラム製品。